(57)【要約】【課題】低い施工コストで騒音防止が可能な階段構造を提供することを目的とする。【解決方法】断面形状が縦長長方形の木製補強桟１４を踏み板１２の裏面に踏み板１２の長手方向に沿って垂設固定し、この補強桟１４をビス１５で側板１１に連結固定する。補強桟１４は踏み板１２の奥行き幅の奥側半分の部位に配置する。補強桟１４に、その長手方向に伸び、かつ補強桟の下面に開口する長溝１４ａを形成し、補強桟１４を踏み板１２に固定するためのビス１５を該長溝１４ａの底面から踏み板１２に打ち込む。【選択図】図３
2007120053.tif 000002
【特許請求の範囲】
【請求項１】
断面形状が縦長の補強桟を踏み板の裏面に踏み板の長手方向に沿って垂設固定し、かつ該補強桟を側板に連結したことを特徴とする階段構造。
【請求項２】
前記補強桟を前記踏み板の奥行き幅の奥側半分の部位に配置したことを特徴とする請求項１に記載の階段構造。
【請求項３】
前記補強桟に、その長手方向に伸び、かつ補強桟の下面に開口する溝を形成し、補強桟を踏み板に固定するためのビス又は釘を該溝の底面から踏み板にさし込むことを特徴とする請求項１又は２に記載の階段構造。
【発明の詳細な説明】
【技術分野】
【０００１】
本発明は階段構造に関する。
【背景技術】
【０００２】
階段構造の一形式として、特開平９−２２８５９９号公報には、対向する側板間に断面形状が溝形の金属製下地材を固定し、この下地材にゴム弾性材を積層し、側板間に配置される踏み板をゴム弾性材上に積層固定した階段構造が開示されている。
この階段構造によれば、踏み板の振動がゴム弾性材に吸収されるので、階段昇降時の騒音を防止できる。
【特許文献１】特開平９−２２８５９９号公報
【発明の開示】
【発明が解決しようとする課題】
【０００３】
上記した従来の階段構造は、階段昇降時の騒音を防止できるものの、金属製下地材とゴム弾性体が不可欠なため、通常の階段構造に比べて部品点数が多くなり、そのため施工コストが高くなる。
【０００４】
本発明はかかる問題点に鑑み、低い施工コストで騒音防止が可能な階段構造を提供することを目的とする。
【課題を解決するための手段】
【０００５】
請求項１に記載の発明は階段構造であって、断面形状が縦長の補強桟を踏み板の裏面に踏み板の長手方向に沿って垂設固定し、かつ該補強桟を側板に連結したことを特徴とする。
そして、好ましくは前記補強桟を前記踏み板の奥行き幅の奥側半分の部位に配置する。
さらに好ましくは前記補強桟に、その長手方向に伸び、かつ補強桟の下面に開口する溝を形成し、補強桟を踏み板に固定するためのビス又は釘を該溝の底面から踏み板にさし込む。
【発明の効果】
【０００６】
本発明に係る階段構造によれば、踏み板裏面に縦長断面の補強桟を垂設固定したので、踏み板の見かけの厚みが増す。加えて補強桟を側板に連結したので、踏み板と側板が補強桟を介して強固に連結される。そのため階段の剛性が増大するので、階段昇降時に踏み板や側板が振動し難くなり、騒音を低減できる。しかして、通常の階段に比べ部材として補強桟を加えるだけで騒音防止が可能であり、低コストで低騒音の階段を施工できる。
また、降段時には踵が踏み板の奥半分に衝当して騒音が発生し易いが、踏み板の奥半分の領域に補強桟を配置することにより、降段時の騒音を効果的に防止できる。
さらにまた、縦長断面の補強桟に溝を形成することにより、補強桟をビスや釘で固定する際、ビスや釘の補強桟部分の貫通寸法を短くでき、補強桟の固定作業が容易になる。
【発明を実施するための最良の形態】
【０００７】
断面形状が縦長長方形の木製補強桟を踏み板の裏面に踏み板の長手方向に沿って垂設固定し、この補強桟を釘で側板に連結固定する。補強桟は踏み板の奥行き幅の奥側半分の部位に配置する。補強桟に、その長手方向に伸び、かつ補強桟の下面に開口する長溝を形成し、補強桟を踏み板に固定するためのビス、釘等を該長溝の底面から踏み板に打ち込む。  
【実施例１】
【０００８】
以下に本発明の実施例を図面に基づき説明するに、図１、図２及び図３には本発明の一実施例に係る階段構造が示されている。当該階段構造１０は左右の側板１１、踏み板１２、蹴込み板１３及び補強桟から構成されている。
【０００９】
踏み板１２の前端部裏面に、踏み板１２の長手方向（横方向）に伸びる細溝１２ａが形成され、該細溝１２ａに蹴込み板１３の上端部が嵌着されている。蹴込み板１３の下端部は下段の踏み板１２の後端部にビス、釘あるいは接着剤で固着されている。そして、踏み板１２の裏面に補強桟１４が垂設固定されている。
【００１０】
補強桟１４は木製で踏み板１２の裏面に垂設されている。この補強桟１４は縦長長方形の断面形状を有し、断面形状の縦寸は横寸の２〜３倍となるように加工されている。また、補強桟１４にはその下面に開口する長溝１４ａが補強桟１４の長手方向に沿って下面中央部に形成されている。この長溝１４ａはビス１５の頭部が挿入できる幅と、補強桟１４の縦寸法の約半分の深さを有する。補強桟１４はこの長溝１４ａからビス１５を踏み板１２に打ち込んで踏み板１２に固定されている。補強桟１４は踏み板１２の奥行き方向の中心線ｎ（図１参照）から奥側の部位、すなわち奥側半分の領域に取付けられている。本実施例では踏み板１２の前端部から奥行き幅の約２／３奥側の部位に配置されている。
【００１１】
各側板１１の内面には図２に示すようにホゾ穴１１ａが形成されている。補強桟１４をビス１５で固定した踏み板１２は左右の端部をこのホゾ穴１１ａにはめ込み、ホゾ穴１１ａの隙間に楔１６を打ち込んで、側板１１に固定されている。さらに、補強桟１４は斜めに打ち込んだビス１５で側板１１に固定されている。また、最下段の補強桟１４の下面と床面１７の間には受け板１８がはめ込まれ、補強桟１４が床面１７に支持される。
【００１２】
本実施例に係る階段構造１０は以上の通りであって、踏み板１２の裏面に縦長断面の補強桟１４を垂設固定したので、踏み板１２の見かけの厚みが増す。加えて補強桟１４を側板１１に固定したので、踏み板１２と側板１１が補強桟１４を介して強固に連結される。そのため階段１０の剛性が増大するので、階段昇降時に踏み板１２や側板１１が振動し難くなり、騒音を低減できる。
【００１３】
通常の階段に比べ部材として補強桟１４を加えるだけで騒音防止が可能であり、低コストで低騒音の階段を施工できる。
【００１４】
降段時には踵が踏み板１２の奥半分に衝当して騒音が発生し易いが、踏み板１２の前端部から奥行き幅で約２／３奥側の部位に補強桟１４を配置したので、降段時の騒音を効果的に防止できる。
【００１５】
縦長断面の補強桟１４に長溝１４ａをその長手方向に沿って形成したので、補強桟１４をビスや釘１５で固定する際、ビスや釘１５の補強桟１４の部分の貫通寸法を短くでき、補強桟１４の固定作業が容易になる。
【実施例２】
【００１６】
次ぎに、本発明の他の実施例に係る階段構造２０を図４及び図５に示す。当該階段構造２０にあっては、側板２１の上端部に踏み板１２を載置するための受け面２１ａが形成されている。踏み板１２はこの受け面２１ａに載置することで側板２１に上に設置されている。
なお、他の構成は実施例１に係る階段構造と同じであるので、同一の構成要素には同一の符号を付して説明を省略する。
【００１７】
上記実施例１及び実施例２では補強桟１４として、縦長断面形状で、長手方向に伸びる長溝１４ａを形成したものを用いたが、補強桟の他の実施例を図６に示す。図６の（ａ）に示す補強桟３０は、木製でビス１５等の頭部１５ａを通すための頭部用溝３０ａが補強桟３０の長手方向に沿って形成されている。図６の（ｂ）に示す補強桟３１は木製で頭部用溝３１ａに加えてビス用貫通穴３１ｂが形成されている。図６の（ｃ）に示す補強桟３２はプラスチック成型品又は金属製抜き加工製品で、断面Ｔ字形状を有し、上面に左右２列の釘穴３２ａが形成されている。図６の（ｄ）に示す補強桟３３はプラスチック成型品又は金属抜き加工又は曲げ加工製品で、断面鈎形状を有し、上面に釘穴３３ａの列がその長手方向に沿って形成されている。
【図面の簡単な説明】
【００１８】
【図１】本発明の第１実施例に係る階段構造を模式的に示す側面図である。
【図２】同階段構造の主要部を構成する側板、踏み板、補強桟を模式的に示す正面図である。
【図３】同階段構造の主要部を示す斜視図である。
【図４】本発明の第２実施例に係る階段構造を模式的に示す側面図である。
【図５】同階段構造の主要部を構成する側板、踏み板、補強桟を模式的に示す正面図である。
【図６】本発明の階段構造に用いられる補強桟の実施例を示す説明図である。
【符号の説明】
【００１９】
１０、２０…階段構造、１１…側板、１２…踏み板、１３…蹴込み板、１４，３０，３１，３２，３３…補強桟、１４ａ…長溝、１５…釘。
【図１】
2007120053.tif 000003
【図２】
2007120053.tif 000004
【図３】
2007120053.tif 000005
【図４】
2007120053.tif 000006
【図５】
2007120053.tif 000007
【図６】
2007120053.tif 000008